(57)【要約】      （修正有）【課題】プラスチック製一体型スタッドを提供すること。【解決手段】ファスナが、一体的に（または一片構造として）形成されている（例えば、１００％プラスチック）。ファスナは、位置決め壁または停止手段のそれぞれの側に第１の部分と第２の部分とを有する本体を含む。第１の部分は、複数の圧縮可能な保持表面を含み、それは、本体上の対応する円錐構造または円柱表面によって、隣接する保持表面から分け隔てられている。第２の部分は、相互から離間している複数の弾性的に可撓性がある舌状物を含む。舌状物は、相互に本体の側の反対側に、かつ／または、本体に沿った異なる軸上位置に、位置付けられ得る。【選択図】図１
2018136030.tif 000002
【特許請求の範囲】
【請求項１】
本明細書に記載の発明。
【発明の詳細な説明】
【技術分野】
【０００１】
（分野）
これは、構造物用の（例えば、航空機上の縦通材用の）裏地およびブランケットのためのファスナに関連する。
【背景技術】
【０００２】
（関連技術）
航空機建造物において、絶縁層は、ピン状の接続要素を使用して２つの壁に固定され得る。ピンは、ヘッドと、係合位置と、保持要素とを有する。Ｈｏｍｎｅｒ（米国第７，９５０，８８９号）に図示されている実施例において、そのようなファスナは、骨組と、外側材料とを含み、骨組は、外側材料より熱に強い。ファスナは、グルーブ形状の係合位置を含み、グルーブ形状の係合位置は、長手方向断面において鋸歯形状の外側外形を有する。フランジが、ピンを２つの部分に分割し、保持円板が、所定の場所に絶縁層を維持する。フランジは、ピンから斜めに突出している支持要素によって所定の位置に維持される。
【先行技術文献】
【特許文献】
【０００３】
【特許文献１】米国特許第７，９５０，８８９号明細書
【発明の概要】
【課題を解決するための手段】
【０００４】
シート状の材料（例えば、ブランケットまたは裏地）を構造物上へ（例えば、航空機の縦通材または他の支持構造物上へ）留めるかまたは固定するための装置が記載されている。１つの実施例において、一体型構造または一片構造は、プラスチック材料から形成され、長手方向に延在する。その構造は、壁または位置決め手段あるいは停止手段の片側に第１の部分と、壁または位置決め手段あるいは停止手段の片側に第２の部分とを有する本体を含む。第１の部分は、第１の部分に沿って軸方向に相互に関連して位置付けられた複数の円周方向に延在する停止表面または保持表面を含む。１つの実施例において、４つの保持表面が存在する。別の実施例において、各保持表面は、実質的に平坦であり、本体の長手方向軸に垂直であり、円錐形状の構造の端部表面を形成する。本体の第２の部分は、弛緩した構成のときに本体から外向きに延在する少なくとも第１および第２のタブ、舌状物またはフラップを含む。１つの実施例において、舌状物の各々は、同一の幾何学形状を有する。更なる実施例において、舌状物の各々は、弛緩した構成のとき、ある角度で本体から延在する。更なる実施例において、舌状物の各々は、他の舌状物の角度（ただし、異なる方向における角度）と同じ大きさの本体に対する角度を有する。例えば、舌状物は、例えば１８０°離れた点において（すなわち、本体の両側に）本体に取り付けられることによって、同じ軸方向であるが相互から離れて分岐する。別の実施例において、第１の舌状物は、第２の舌状物よりも壁または停止手段の近くに位置付けられる。更なる実施例において、第１および第２の舌状物は、長手方向軸に対して本体に沿って軸方向に位置付けられ、それらの軸上位置は、舌状物の長さ未満の量だけ分け隔てられている。側面の輪郭において、舌状物は、重なる。
【０００５】
ファスナ（例えば、裏張りまたはブランケットのためのファスナ）の更なる実施例において、ファスナは、一体的に（または一片構造として）形成される。ファスナは、１００％プラスチック（例えば、全てナイロン（例えば、ナイロン６／６））である。ファスナは、位置決め壁または停止手段の片側に第１の部分と、位置決め壁または停止手段の片側に第２の部分とを有する本体を含む。第１の部分は、複数の保持表面を含み、１つの実施例において、保持表面は、相互に関連してファスナの本体の長手方向に位置付けられた圧縮可能な円錐幾何学形状である。保持表面の各々は、本体上の対応する円錐構造または円柱表面によって隣接する保持表面から分け隔てられている。１つの実施例において、第１の部分上に４つの保持表面を有する。第２の部分は、相互から離間している弾性的に可撓性がある舌状物を含む。１つの実施例において、舌状物は、相互に本体の側の反対側に位置付けられている。別の実施例において、舌状物は、本体に沿った異なる軸上位置に位置付けられている。更なる実施例において、可撓性がある第１の舌状物は、可撓性がある他の舌状物よりも壁または停止手段の近くに位置付けられ、壁または停止手段の隣接表面から第１の可撓性がある舌状物の長さ未満の距離だけ離間している舌状物の自由端部を有する。所与のファスナ上に２つまたは３つまたはそれより多い可撓性がある舌状物が存在し、各々は、隣接する舌状物とは反対側のファスナの側面で円周方向に方向付けられる。
【０００６】
ファスナの前述した実施例のいずれかおいて、第２の部分は、相互から離間した弾性的な可撓性がある舌状物を含む。１つの実施例において、ファスナが、設置されるように意図され、設置され、それにより、意図されたパネルまたは構造物において、パネルと本明細書に記載されたファスナのうちの１つ以上とのアセンブリを形成し、そのような構成において、舌状物のうちの少なくとも１つは、壁または停止手段がパネルまたは構造物の表面に接触するときに、パネルまたは構造物における開口部内に少なくとも部分的に位置付けられる。別の構成において、複数の舌状物が、壁または停止手段がパネルまたは構造物の表面に接触するときに、パネルまたは構造物における開口部内に少なくとも部分的に位置付けられる。
【０００７】
本発明は、例えば、以下を提供する。
（項目１）
長手方向軸に沿って延在する本体を有するプラスチック製一体型スタッドであって、前記本体は、第１の端部を有する第１の部分と、第２の端部を有する第２の部分と、前記第１の部分および前記第２の部分を分け隔てる停止手段と、前記第２の部分上に可撓性がある第１および第２の舌状物とを有し、
前記第１の部分は、前記長手方向軸から半径方向に延在する複数の圧縮可能な保持要素を含み、前記複数の保持要素は、円錐形に形作られており、前記複数の保持要素の各々は、前記壁から離れる方向に前記スタッドの前記本体に収束し、第１の保持要素および第２の保持要素は、相互に隣接し、第１の直径を有する円柱スタッド部分によって相互に分け隔てられており、前記保持要素のうちの少なくとも１つは、前記第１の直径に略等しい最小の直径を有し、
可撓性がある各舌状物は、前記壁の方へ前記スタッドの前記本体から離れる方向に前記長手方向軸に対してある角度で延在し、前記舌状物の自由端部が前記長手方向軸の方へ移動可能であるように構成されており、前記可撓性がある第１および第２の舌状物は、相互から軸方向にオフセットされている部分を含み、
前記壁は、前記複数の保持要素の最大の直径より大きい外径を有する、スタッド。
（項目１Ａ）
長手方向軸に沿って延在する本体を有するプラスチック製一体型スタッドであって、前記本体は、第１の端部を有する第１の部分と、第２の端部を有する第２の部分と、前記第１の部分および前記第２の部分を分け隔てる停止手段と、前記第２の部分上に可撓性がある第１および第２の舌状物とを有し、
前記第１の部分は、前記長手方向軸から半径方向に延在する複数の圧縮可能な（弾性的に可撓性のある）保持要素を含み、前記複数の保持要素は、円錐形に形作られており、前記複数の保持要素の各々は、前記壁から離れる方向に前記スタッドの前記本体に収束し、第１の保持要素および第２の保持要素は、相互に隣接し、第１の直径を有する円柱スタッド部分によって相互に分け隔てられており、前記保持要素のうちの少なくとも１つは、前記第１の直径に略等しい最小の直径を有し、
可撓性がある各舌状物は、前記壁の方へ前記スタッドの前記本体から離れる方向に前記長手方向軸に対してある角度で延在し、前記舌状物の自由端部が前記長手方向軸（前記スタッドの本体）の方へ移動可能であるように構成されており、前記可撓性がある第１および第２の舌状物は、相互から軸方向にオフセットされている部分を含み、
前記壁は、前記複数の保持要素の最大の直径より大きい外径を有する、スタッド。
（項目２）
前記第１の舌状物は、前記長手方向軸上の軸上位置において第１の結合部を含み、前記第２の舌状物は、前記長手方向軸上の軸上位置において第２の結合部を含み、前記第２の舌状物の前記自由端部は、前記第１の結合部の前記軸上位置と前記第１の舌状物の自由端部との間で前記長手方向軸に沿って位置付けられる、上記項目に記載のスタッド。
（項目３）
前記第１および第２の舌状物は、前記スタッドの正反対の表面上に存在する、上記項目のいずれか１項に記載のスタッド。
（項目４）
前記第１および第２の舌状物は、長さが略等しい、上記項目のいずれか１項に記載のスタッド。
（項目５）
前記第１および第２の舌状物のうちの少なくとも１つは、横断断面において、湾曲した表面を有する、上記項目のいずれか１項に記載のスタッド。
（項目６）
前記第２の部分は、複数の保持要素を含む、上記項目のいずれか１項に記載のスタッド。
（項目７）
前記第１の部分は、４つの保持要素を含み、前記第２の部分は、３つの保持要素を含む、上記項目のいずれか１項に記載のスタッド。
（項目８）
前記第１および第２の舌状物のうちの１つは、円錐部分に隣接して前記スタッド本体に取り付けられる、上記項目のいずれか１項に記載のスタッド。
（項目９）
前記第１の結合部は、前記壁から前記第２の結合部までの距離の略２倍未満である、上記項目のいずれか１項に記載のスタッド。
（項目１０）
前記壁と前記第１の舌状物との間の前記本体上に第３の舌状物をさらに含む、上記項目のいずれか１項に記載のスタッド。
（項目１１）
前記第３の舌状物は、前記第１の舌状物より短い、上記項目のいずれか１項に記載のスタッド。
（項目１２）
前記第３の舌状物は、前記第１の舌状物と重なっている、上記項目のいずれか１項に記載のスタッド。
（項目１３）
前記第１の舌状物は、前記第２の舌状物よりも前記壁に近く、前記第１の舌状物は、前記第１の舌状物の自由端部まで延在する軸方向の長さを有し、前記壁と前記第１の舌状物の前記自由端部との間の距離は、前記第１の舌状物の長さ未満である、上記項目のいずれか１項に記載のスタッド。
（項目１４）
前記第１および第２の舌状物は、異なる長さを有する、上記項目のいずれか１項に記載のスタッド。
（項目１５）
前記第１の舌状物は、前記第２の舌状物より短い、上記項目のいずれか１項に記載のスタッド。
（項目１６）
前記壁と前記第１の舌状物との間の前記本体を囲んでいるパネルをさらに含む、上記項目のいずれか１項に記載のスタッド。
【０００８】
（摘要）
ファスナが、一体的に（または一片構造として）形成されている（例えば、１００％プラスチック）。ファスナは、位置決め壁または停止手段のそれぞれの側に第１の部分と第２の部分とを有する本体を含む。第１の部分は、複数の圧縮可能な保持表面を含み、それは、本体上の対応する円錐構造または円柱表面によって、隣接する保持表面から分け隔てられている。第２の部分は、相互から離間している複数の弾性的に可撓性がある舌状物を含む。舌状物は、相互に本体の側の反対側に、かつ／または、本体に沿った異なる軸上位置に、位置付けられ得る。
【０００９】
これらの実施例または他の実施例は、図面と併せて、以下により十分に記載され、図面の簡単な説明が続く。
【図面の簡単な説明】
【００１０】
【図１】図１は、（例えば、停止円板を用いて縦通材上に裏張りブランケットを固定するときに使用するための）ファスナスタッドの例示的な形態の側面図である。
【図２】図２は、線２−２に沿ってとられた、図１のファスナの横断断面図である。
【図３】図３は、図２の線３−３の沿ってとられた、図１のファスナの一部の長手方向部分断面図である。
【図４】図４は、ファスナスタッドの別の例示的な形態の側面図である。
【図５】図５は、縦通材（例えば、航空機の縦通材）、裏張りブランケット、図４に示されているようなファスナスタッド、および停止円板の上側等角投影横断断面図である。
【図６】図６は、図５のアセンブリの一部の詳細図である。
【図７】図７は、ファスナスタッドの別の例示的な形態の側面図である。
【図８】図８は、ファスナが挿入された構造物の一部における、図７のファスナの一部の詳細の長手方向断面図である。
【図９】図９は、ファスナが図８の構造物より厚い構造物に挿入されている構造物の一部における、図７のファスナの一部の詳細の長手方向断面図である。
【図１０】図１０は、ファスナが図９の構造物より厚い構造物に挿入されている構造物の一部における、図７のファスナの一部の詳細の長手方向断面図である。
【発明を実施するための形態】
【００１１】
（詳細な説明）
図面と併用される本明細書は、当業者が本発明を成しかつ使用することが可能であるような手段で本発明の１つ以上の態様を組み込んでいる装置および方法の実施例を記載している。様々な改変が本発明のパラメータの範囲内で成し遂げられることが可能であることが理解されるべきであるが、その実施例は、本発明を実行するために考慮される最良の形態を提供する。
【００１２】
裏張りファスナの実施例が記載されている。どんな特徴（単数または複数）が所与の構造に組み込まれるかに応じて、利益がその構造において得られる可能性がある。例えば、複数の舌状物を使用する裏張りファスナは、通常の動作状況下でより確実な据え付けをもたらし得る。裏張りファスナは、そのようなファスナを求めているアセンブリにおいて更なる可撓性も提供し得る。加えて、いくつかの裏張りファスナの構成は、軽量および低コストでもあり得る。
【００１３】
これらの特徴および他の利益は、本明細書における実施例の説明を考慮すると明白である。しかしながら、特定の実施例に対して論じられた利益または特徴のうちの全てが、それらの実施例によって考慮される１つ以上の利益を得るために裏張りファスナに組み込まれなければならないわけではないことが理解されるべきである。加えて、実施例の特徴は、裏張りファスナに組み込まれることが可能であり、それにより、たとえ利益が他の可能な構成と比較して最適でないかもしれないとしても、ある程度の所与の利益を得る。例えば、１つ以上の利益は、コスト削減、効率化を達成するために、または、特定の製品構成または方法を決定する者に公知の理由で、所与の構成に対して最適化されないかもしれない。
【００１４】
いくつかの裏張りファスナの構成の実施例が本明細書に記載されており、一部は、一緒に使用されるときに特定の利益を有する。しかしながら、それらの装置および方法がこの時点で一緒に考慮されているとしても、それらが組み合わせられるか、一緒に使用されるか、または１つの構成要素または方法が他の構成要素と一緒に使用される（すなわち、組み合わせ）という要件は存在しない。加えて、所与の構成要素が、本明細書に明示的に論じられずに他の構成要素と組み合わせられる一方で、依然として、所望の結果を達成していることが理解される。
【００１５】
方向付けまたは明瞭さのために使用される専門用語（例えば、前、後ろ、側面、左および右、上側および下側、第１および第２等）が、本明細書において単に理解および参照を簡単にするために使用され、記載および図示されている構造物についての排他的な用語として使用されないことが理解されるべきである。
【００１６】
プラスチック製一体型スタッドが記載されており（図１〜６）、プラスチック製一体型スタッドは、軽量であり、容易に製造または成形され、プラスチック製一体型スタッドは、例えば裏張りブランケットを構造物に（例えば、航空機の縦通材に）固定するためのファスナとして使用時に可撓性を提供する。１つの実施例において、裏張りファスナ２０の形状のプラスチック製一体型スタッド（図１〜３）は、単体として、完全に単一の材料から形成される。１つの実施例において、材料は、ナイロンであり、ナイロンは、ナイロン６／６であり得る。金属骨格または別の材料から形成される他の骨格は存在しない。
【００１７】
裏張りファスナ２０は、例えば長手方向軸２４に沿って、長手方向に延在する本体２２を含む。本体は、実質的に真っ直ぐ延在し、長手方向軸２４上に中心があるが、材料の特質および長さに基づいて多少横方向に可撓性を有し得ることが理解されるべきである。本体２２は、全外径２６を有するが、裏張りファスナは、他の幾何学形状を含み、その幾何学形状は、本体２２を参照して説明される。
【００１８】
本体２２は、第１の部分２８と、第２の部分３０と、（本実施例においては、本体２２から半径方向外向きに延在している壁３２の形状の）停止手段または位置決め手段とを含む。停止手段は、代替的には、半径方向延在する指状物、突起物または他の構造物の形状である可能性がある。本実施例において、壁３２は、第１の部分と第２の部分とを相互に分け隔てるものとして参照の目的で記載されている。壁３２は、横断断面において実質的に円形である。壁は、縦通材の開口部に裏張りファスナを位置付けるのを助長するためのバックストップ部材または接触部材として役立ち、裏張りファスナは、開口部に挿入され、壁は、開口部の周囲の縦通材と接触する。第１の部分２８は、壁３２から第１の端部３４まで長手方向に延在し、第２の部分３０は、第１の部分とは反対の方向に第２の端部３６まで長手方向に延在する。
【００１９】
本体２２は、壁３２に隣接する円柱形状を有し、壁から離れる方へ長手方向に延在する。本体は、複数の圧縮可能なまたは弾性的に可撓性がある保持要素３８を本体の第１の部分に含む。保持要素３８は、相互に関連して長手方向に離間している。本実施例において、隣接する保持要素３８は、本体２２上のそれぞれの円柱部分４０によって相互に分離されているかまたは離間している。保持要素３８は、図１に示されているように最大の外径を有し、最大の外径は、本体２２の外径に実質的に等しい。複数の円柱部分４０は、それぞれの外径を有し、その外径は、相互に等しいが、本体部分２２の外径には満たない。図示されている実施例において、保持要素３８は、実質的に真っ直ぐな収束する側壁と実質的に平坦かつ横断方向に延在する保持壁４２とを有する円錐台形の幾何学形状を有し、側壁は、壁３２から離れる方向に本体上のそれぞれの円柱部分４０に収束する。収束する側壁は、円柱部分４０の直径に実質的に等しい直径まで内向きに収束する。代替的には、収束する側壁は、湾曲させられることが可能である。図示されている実施例において、第１の部分は、４つの保持要素３８を有し、各保持要素は、対応する保持壁４２を有する。保持要素３８は、第１の端部３４において、他の保持要素３８の収束角度より急な傾斜を有する収束角度として終端している。
【００２０】
保持要素の側部壁は、中心長手方向軸２４の方向に内向きに圧縮可能であり、それにより、例えば、保持要素の最大の外径より小さい開口部を有する円板が保持要素を通り過ぎることを可能にするが、側部壁は、円板が保持壁４２を通り過ぎた後、依然として、外向きに曲がることが可能である。
【００２１】
第２の部分３０は、第１の部分２８とは反対の方向に壁３２から長手方向に延在し、本体の大部分は、第１の部分に関して記載された外径２６と実質的に同じ外径を有する。第２の部分は、円錐台形部分４４に沿って第２の端部３６に収束する。
【００２２】
第２の部分は、複数のタブ、フラップまたは舌状物（本実施例においては、第１の舌状物４６および第２の舌状物４８）を含む。第１の舌状物および第２の舌状物は、弾性的に可撓性を有し、かつ圧縮可能であり、弛緩状態では、第１の舌状物は長手方向軸２４に対して角度５０で延在し、第２の舌状物は長手方向軸２４に対して角度５２で延在する。舌状物の各々は、本体から離れる方向に外向きに、かつ壁３２の方向に長手方向に延在する。第１の舌状物は、第１の結合要素５４から端部５８まで延在し、第２の舌状物は、第２の結合要素５６から端部６０まで延在する。舌状物の自由端部は、裏張りファスナの長手方向軸および本体に向かって移動可能である。各々は、本体２２の円周表面に形成されているそれぞれの空洞部６２および６４内へ押し付けられるかまたは曲げられることが可能である。第１の舌状物および第２の舌状物は、（本実施例においては、長手方向にも円周方向にも）相互に離間している。
【００２３】
図示されている構成において、第１の舌状物４６は、第１の軸方向または長手方向位置６６における結合領域５４において本体から延在し、第２の舌状物は、第１の結合部５４の第１の軸上位置６６よりもさらに壁３２から離間している第２の長手方向位置６８における結合部５６において本体からある角度で延在する。それゆえ、第１の舌状物および第２の舌状物は、長手方向軸に沿って異なる位置から本体２０から角度を付けて延在する。本実施例において、第１の舌状物および第２の舌状物は、実質的に同一の長さを有し、それゆえ、本体に沿った異なる軸上位置において終端するが、それらの長さは、所望されるように異なる可能性がある。本明細書において使用される場合の「実質的に」は、識別された値またはパラメータの±１０％を意味するようにとられる。第１の舌状物の自由端部５８は、第３の長手方向位置７０において終端し、第２の舌状物の自由端部６０は、壁３２からより遠い第４の長手方向位置７２において終端する。図示されている実施例において、第２の舌状物４８の自由端部６０は、軸上位置において終端し、第２の舌状物４８が自由状態であるとき、軸上位置は、第１の軸上位置６６と第３の軸上位置７０との中間にある。そのような構成は、ファスナの側面図（例えば、図１に示されているファスナの側面図）において見られるとき、第１の舌状物４６と重なって第２の舌状物４８を有する。図示されている実施例において、第１の舌状物および第２の舌状物は、本体上に相互に正反対に位置付けられている。
【００２４】
舌状物４６および舌状物４８ならびにそれらに対応する空洞部６２および空洞部６４は、本体２２の第２の部分３０に対する位置以外で、相互に実質的に同一である。それゆえ、たった１つの舌状物および空洞部がより詳細に記載される。
【００２５】
各空洞部は、それぞれ、平坦表面７４および平坦表面７６を横切って本体の横方向に延在する（図２〜３）。各空洞部は、それぞれの舌状物がそれぞれの結合部において本体に接合している場所から始まり、それぞれ、軸方向に壁３２の方向に第１の横断空洞壁７８および第２の横断空洞壁８０まで延在する。壁７８および壁８０は、各空洞部の大きさだけ横方向に延在し、壁７８および壁８０は、それぞれ、壁７４および壁７６に実質的に垂直である。各空洞部の深さは、鋳型の変形を除いて、本体周りの同じ半径方向位置において舌状物の厚さとほぼ同じである。その結果として、可撓性がある舌状物は、空洞部内へ押し付けられることが可能であり、その結果、舌状物が圧縮された状態の外径は、本体２２の外径２６とほぼ同じである。しかしながら、舌状物は、弾性的に可撓性があるので、圧縮された舌状物は、空洞部から外向きに舌状物を押す傾向がある、舌状物内に発達させられる戻し力を有する。
【００２６】
各舌状物４６および４８は、それぞれの凸状外側表面を有し、本体の曲率に近似する（図２）。舌状物の側面表面は、実質的に真っ直ぐであり、（例えば図２に示されている）弦に沿って延在し、対応する空洞部の平坦表面に面している内部表面は、真っ直ぐであり、空洞部に面している表面の大部分について横方向に延在する。しかしながら、図２に示されているように、第２の舌状物の内部端部表面は、舌状物が端部表面６０において終端しているので、少し凸状である。第１の舌状物４６は、図示されている実施例において、同じ幾何的形状を有する。
【００２７】
裏張りファスナの別の実施例において、裏張りファスナ８２（図４）は、図１〜３における片側裏張りファスナ２０に対して上述された第１の部分および第２の部分と同一の第１の部分および第２の部分を有することが可能であり、裏張りファスナ２０の構成要素と同一の裏張りファスナ８２の構成要素は、同一の参照数字、構造および機能を有する。保持要素８４の各々は、第２の保持要素８４が反対の方向に方向付けられていることを除いて、第１の部分２８上の保持要素３８と実質的に同一である。具体的には、第２の保持要素の各々は、幾何学形状において実質的に円錐台形であり、壁３２から離れる方向に、それぞれの保持表面８６からそれぞれの円柱本体表面８８に収束し、保持表面８６は、本体の横断方向に延在する。図示されている実施例において、第２の部分３０Ａは、３つの保持要素８４を含み、第２の端部９０において終端する。本明細書に記載されている裏張りファスナ構成のうちのいずれかは、３つ以上の舌状物を有することが可能であり、隣接する舌状物は、相互に離間している。
【００２８】
本明細書に記載されている裏張りファスナの適用の１つの実施例（例えば、裏張りファスナ８２に対して記載されている実施例）において、アセンブリ１００は、縦通材１０２を含み、縦通材は、航空機等のようなアセンブリにおける従来のものである。裏張りブランケット１０４が、縦通材１０２に沿って、本実施例においては縦通材１０２の両側上に位置付けられ延在する。裏張りファスナ８２は、ダブル裏張りファスナであり、１対の保持円板１０６を支持および保持する。一方の保持円板は、隣接する保持壁４２に接触し保持壁４２によって保持されている円板上のタブまたは他の突出部（図６においては見えない）によって裏張りファスナ８２の第１の部分上に保持され、他方の保持円板１０６は、隣接する保持壁８６に接触し保持壁８６によって保持されている円板上のタブまたは他の突出部（図６においては見えない）によって裏張りファスナ（図６）の第２の部分上に保持される。保持円板は、従来の裏張りファスナおよび円板アセンブリと同様の手段で裏張りファスナ上に保持される。裏張りブランケットが縦通材１０２の片側のみに沿って延在するアセンブリの実施例において、片側裏張りファスナ（例えば、裏張りファスナ２０）は、裏張りブランケットを、対応する保持円板１０６と一緒に固定するために使用されることが可能である。
【００２９】
（同様のアセンブリにおける裏張りファスナ２０と同様に）裏張りファスナ８２は、縦通材における開口部１０８内へ挿入される（図６）。裏張りファスナは、開口部内へ挿入され、開口部を部分的に通り抜ける。裏張りファスナが開口部１０８内へ挿入されると、第２の舌状物が、空洞部内へ圧縮または押下され、次いで第１の舌状物が、空洞部内へ圧縮または押下され、その結果、本体および舌状物が開口部１０８の内径内にフィットする。裏張りファスナが開口部を通って進行すると、第２の舌状物４８は、開口部を出て、外向きに曲がる。その後、裏張りファスナが開口部内へさらに進行すると、第１の舌状物４６が開口部から解放され、図６に示されている構成まで外向きに曲がる。裏張りファスナは、壁３２が縦通材の接面に接触するまで開口部内へさらに進行する。弛緩した構成において縦通材の厚さが第１の舌状物４６の自由端部５８と壁３２の接面との間の隙間より小さい実施例において、第１の舌状物および第２の舌状物は、開口部から解放され、本体から外向きに延在し、それにより、壁３２が縦通材に接触しているときに弛緩した構成をとる。この構成において、裏張りファスナは、縦通材の開口部に保持されており、壁３２は、開口部内への裏張りファスナの更なる進行を止めるのに役立つ。第１の舌状物４６は、開口部に裏張りファスナを保持するのを助長し、裏張りファスナが開口部から外に引き出されるのを妨げる。
【００３０】
別の構成において、より大きい厚さ（例えば、壁３２の接面から第１の舌状物の自由端部５８までの弛緩した状態における距離より大きい（ただし、舌状物４８の自由端部６０までの距離より小さい）厚さ）を有する縦通材の実施例において、そのようなより厚い縦通材における開口部内への裏張りファスナの挿入は、第２の舌状物が開口部から出て解放されることを可能にするが、依然として第１の舌状物を開口部内に残している。そのような構成において、第１の舌状物４６は、外向きに曲がる傾向があり、１１２で表されている開口部の内部表面と接触する傾向があり、反対方向に開口部１１２の対向壁に対して裏張りファスナの本体を付勢する。開口部１１２の内部壁に対する舌状物による横方向の接触および負荷とは、縦通材の中に裏張りファスナを安定させるのを助長する。それゆえ、図６に図示されている実施例において、第１の舌状物および第２の舌状物のような裏張りファスナ８２は、１つのパネルに対して、第１の舌状物４６が、開口部１０８の外部にあり、壁３２と一緒に開口部内にファスナを位置づけるのを助長し、別のパネルに対して、第１の舌状物４６が、開口部１０８内に少なくとも部分的に位置付けられることが可能である一方で、第２の舌状物４８が、壁３２と一緒に開口部内にファスナを位置づけるのを助長するように構成されている。
【００３１】
裏張りファスナの更なる実施例において、裏張りファスナ１２０は、裏張りファスナの第２の部分３０Ｂ上にタブ、舌状物またはフラップ（例えば、舌状物１２２）を含み、舌状物またはフラップは、任意の予測可能な縦通材の厚さに対して縦通材を貫く孔の内部表面または内側表面に舌状物の少なくとも一部が接触する、壁３２に関連する方法で、位置付けられている（図７〜図１０）。本実施例において、ファスナは、同じ参照数字を有するファスナ８２（図４）と同じ構造および機能である要素を有するダブルファスナのコンテキストにおいて記載されている。これらの要素は、さらには記載されない。しかしながら、内部舌状物１２２が第１の舌状物４６と第２の舌状物４８とを有するファスナ上に記載されているが、図７に示されているファスナ１２０のようなファスナが内部舌状物１２２とたった１つの他の舌状物（例えば、第１の舌状物４６または第２の舌状物４８のどちらか）を有するように構成されることが可能であることが考慮されることが理解される。内部舌状物１２２および別の舌状物は、いくつかの方法（第１の舌状物４６とは正反対に、内部舌状物１２２および第２の舌状物４８のように整列させられることを含む）でまたは他の態様で、本体に対して方向付けられることが可能である。第１の舌状物および第２の舌状物が整列以外に構成されているとき、所望される場合、舌状物は、少なくとも部分的に重なるように構成されることが可能である。舌状物１２２などの内部舌状物が単一の裏張りファスナ（例えば、図１〜３に対して上述された裏張りファスナ）上に構成されることが可能であり、保持要素８４が内部舌状物１２２の容認可能な機能性のために不可欠ではないことも理解される。しかしながら、内部舌状物１２２の構造および機能は、ダブルファスナ（例えば、図７に示されているダブルファスナ）のコンテキストにおいて記載されている。
【００３２】
本実施例において、内部舌状物１２２は、第１の舌状物４６と同じ幾何学形状を有し、ファスナの長手方向軸に対して第２の舌状物４８の角度と同じ角度で延在するように構成され得る。しかしながら、角度は、例えば縦通材における開口部の内部に対して内部舌状物１２２によって適用される負荷を増大させるために、より大きい可能性がある。図７において、内部舌状物１２２は、長手方向軸に対する第２の舌状物４８の角度より大きい角度を形成する。内部舌状物の角度は、縦通材の開口部のサイズ、舌状物およびファスナ本体の幾何学形状および寸法等に応じて、９０°と同程度の高角度である可能性があり、場合によってはより大きくあり得る。例えば、より短い内部舌状物が、より高い角度を有するように構成されることが可能である一方で、より長い内部舌状物が、より小さい角度を有するように構成されることが可能である。
【００３３】
図示されているように、内部舌状物１２２および第２の舌状物４８は、実質的に整列させられている。しかしながら、それらは、他の態様であることが可能である。例えば、３つの舌状物を有する構成において、舌状物は、相互から等距離に本体周りに円周方向に配置されることが可能である（例えばそのような構成が実行可能な方法で成形されることが可能な場合）。
【００３４】
内部舌状物１２２は、本体２２に形成されている対応する空洞部１２４から外向きに延在する。内部舌状物は、空洞部１２４の一端を形成する領域内の結合部１２６において本体と接合する。空洞部の他端は、壁３２に隣接する実質的に横断する壁１２８によって画定される。いくつかの構成において、横断する壁１２８は、成形または他の材料の考慮次第では、壁３２の隣接表面と略同一平面であることが可能である。
【００３５】
図示されている実施例において、結合部１２６は、壁３２の反対側の点７０の側面上に軸方向に位置付けられている。言い換えると、内部舌状物１２２は、第１の舌状物４６の軸２４上の開始場所および終了場所に対応する点６６と点７０との間の点において本体と接合する。しかしながら、結合部１２６が点７０と壁３２の隣接表面との間で軸方向に位置付けられることが可能であることが理解されるべきである。
【００３６】
内部舌状物１２２は、図示されている構成において長手方向軸に対して鋭角で空洞部１２４の外へ壁３２の隣接表面の方へ延在する。内部舌状物は、自由端部１３０へ延在し、軸２４に沿って点１３２において終端する。舌状物の場所および長さは、舌状物の少なくとも一部が、ファスナが挿入されるパネルの開口部の内部にあるように選択される。壁３２の隣接表面から軸上の点１３２までの間隔は、ファスナが挿入されるパネルの予期される幅より小さいように構成される。例えば、ファスナが所与のパネル厚さまたはパネル厚さの範囲について格付けまたは特定される場合、壁３２の隣接表面から点１３２までの間隔は、ファスナが使用されるように意図されるパネル厚さより小さいように選択される。本ファスナ（単一のファスナまたはダブルファスナのどちらか）の１つの構成において、内部舌状物１２２の構成は、パネル開口部内に内部舌状物１２２の軸方向長さの少なくとも半分を有する。いくつかの構成において、内部舌状物の自由端部１３０は、（例えば、略１ミリメートルの範囲内で）壁３２の隣接表面と密接に隣接する可能性がある。
【００３７】
内部舌状物１２２のおかげで、裏張りファスナ１２０は、様々なパネル厚さに対して使用されることが可能であり、内部舌状物は、例えばパネルの内部壁に対して横方向の負荷を適用することによって、パネルの開口部に裏張りファスナを安定させるのを助長することが可能である。相対的に薄いパネル（例えば、パネル１０２Ａ（図８））について、ファスナは、ファスナの停止壁３２がパネルの隣接表面に接触するまでパネル開口部１０８Ａ内へ挿入されることが可能である。第１の舌状物４６および第２の舌状物４８は、開口部１０８Ａを完全に通り過ぎている一方で、内部舌状物１２２は、開口部の内部に少なくとも一部を有し、開口部１０８Ａの内部表面（または少なくともリム部）と接触している。裏張りファスナ１２０は、依然として開口部内で長手方向に移動することが可能である一方で、第１の舌状物４６が、長手方向の動きを制限する。加えて、内部舌状物１２２は、可撓性がある舌状物がパネル内にないファスナ構成と比較して、開口部内の横方向の動きを制限する。
【００３８】
内部舌状物１２２を有する同じファスナは、パネル１０２Ａより厚いパネル１０２Ｂに対しても使用されることが可能であり、依然として、信頼性のあるアセンブリを達成している（図９）。ファスナ１２０は、停止壁３２の隣接表面がパネルに接触するまでパネルの開口部１０８Ｂ内へ挿入される。図示されている構成において、第１の舌状物４６および第２の舌状物４８の両方は、パネル内の開口部を完全に通り過ぎた。加えて、内部舌状物１２２の構造全体が、パネルの内部に位置付けられ、内部壁とより大きく接触することが可能である。第１の舌状物４６は、停止壁３２と一緒に、開口部内での裏張りファスナの軸方向移動を制限し、内部舌状物１２２は、内部表面に対して横方向の負荷を適用する。より厚いパネルのおかげで、より薄いパネルと比較して、裏張りファスナとパネルとの間の相対的な軸方向移動が軽減される。
【００３９】
ファスナ１２０は、より厚いパネル（例えば、１０２Ｃ（図１０））と共に組み立てられることも可能であり、依然として、パネルにおけるファスナの軸方向移動を相対的に制限し、内部舌状物のないアセンブリと比較して、開口部内での横方向の移動を小さくする。ファスナ１２０は、停止壁３２がパネルに接触するまで開口部１０８Ｃ内へ挿入される。図示されている構成において、第２の舌状物４８は、開口部を完全に通り過ぎており、開口部のリム部を超えて外向きに曲がっている。内部舌状物１２２は、全体が開口部内に収容されており、第１の舌状物４６の少なくとも一部（本実施例においては５０％より大きい）が開口部内にある。この構成において、２つの舌状物は、内部表面と接触し、開口部内にそれぞれの横方向の負荷を適用する。それゆえ、第１の舌状物４６は、パネルの厚さに応じて、軸方向の制限か、または横方向の負荷を適用する構造のいずれかとして機能することが可能である。
【００４０】
図８〜１０に対して記載された構成は、内部舌状物１２２を用いて構成されている単一のファスナ（例えば、図１〜３に記載されたファスナ）にも適用可能である。言い換えると、記載は、保持要素８４を省略しかつ第３の舌状物４８をほんの少し超えて終端するファスナ構成におけるアセンブリに同等に適用可能である。
【００４１】
したがって、いくつかの例示的な実装を記載してきたが、様々な変形および改変が、本明細書に記載された概念から逸脱することなくなされることが可能であることは明白である。そのような変形および改変は、明確には記載されていないが、それにもかかわらず、本発明の精神および範囲の中であるように意図および暗示される。従って、前述の記載は、単なる例証であるように意図される。
【図１】
2018136030.tif 000003
【図２】
2018136030.tif 000004
【図３】
2018136030.tif 000005
【図４】
2018136030.tif 000006
【図５】
2018136030.tif 000007
【図６】
2018136030.tif 000008
【図７】
2018136030.tif 000009
【図８】
2018136030.tif 000010
【図９】
2018136030.tif 000011
【図１０】
2018136030.tif 000012